(57)【要約】【課題】各種の専用撮影台や床面の設置スペースを必要とせず、容易に任意の姿勢に保持設定する。【解決手段】電子カセッテ３１は撮影室上方に位置する基部３２に取り付けられた３本のロープ状の吊下部材３３により、電子カセッテ３１に取り付けられている着脱機構３４を介して吊り下げられている。吊下部材３３は着脱機構３４を介して電子カセッテ３１の３個所の隅角部に接続されており、基部３２の内部に設けられた駆動部３５によりそれぞれ独立して巻取部３６によって巻き取ることが可能とされている。一方、操作パネル３７の出力は、信号線３８を介して基部３２内に設けられた制御部３９に接続され、制御部３９は各駆動部３５を駆動して各吊下部材３３を独立して巻き取ったり繰り出し、電子カセッテ３１を任意の姿勢とする。【選択図】図１
2007117412.tif 000002
【特許請求の範囲】
【請求項１】
被写体を透過したＸ線の強度分布を検出するＸ線画像検出器と、該Ｘ線画像検出器を内包する筐体とから成る電子カセッテを用いてＸ線画像を撮影するＸ線画像撮影装置において、前記電子カセッテの少なくとも３個所に該当する個所を保持し上方から吊り下げる吊下部材と、該吊下部材を任意の長さで保持可能な駆動機構とを有し、前記電子カセッテを任意の姿勢で保持し撮影を可能とすることを特徴とするＸ線画像撮影装置。
【請求項２】
前記吊下部材は前記電子カセッテに外力を加えても移動することなく、任意の姿勢を維持可能としたことを特徴とする請求項１に記載のＸ線画像撮影装置。
【請求項３】
前記吊下部材及び駆動機構は、撮影室の上方に設置したガイドレールにより水平移動可能としたことを特徴とする請求項１に記載のＸ線画像撮影装置。
【請求項４】
前記吊下部材は前記電子カセッテに対し着脱可能としたことを特徴とする請求項１に記載のＸ線画像撮影装置。
【請求項５】
前記吊下部材は前記電子カセッテの未使用時に前記電子カセッテを上方に退避させる手段を有することを特徴とする請求項１に記載のＸ線画像撮影装置。
【請求項６】
前記吊下部材は保持部材を保持し、前記電子カセッテは該保持部材に対し着脱自在としたことを特徴とする請求項１に記載のＸ線画像撮影装置。
【発明の詳細な説明】
【技術分野】
【０００１】
本発明は、電子カセッテを使用するＸ線画像撮影装置に関するものである。
【背景技術】
【０００２】
従来から、Ｘ線撮影として最も一般的な撮影方法はフィルム／スクリーン法であり、これは感光性フィルムとＸ線に対して感度を有している蛍光体を組み合わせて撮影する方法である。第２の撮影方法として、コンピューテッドラジオグラフィ（ＣＲ）法と呼ばれる方法も実用化されている。この方法はＸ線の透過画像を蛍光体中に一旦、潜像として蓄積し、後に励起光を照射することにより潜像を読み出す方式である。
【０００３】
また、近年の半導体プロセス技術の進歩に伴い、第３の撮影方法として、半導体センサを使用して同様にＸ線画像を撮影する装置が開発されている。この種のシステムは、従来の銀塩写真を用いるＸ線写真システムと比較して、極めて広範囲なＸ線露出域の画像を記録できるという利点を有している。即ち、広範囲のダイナミックレンジのＸ線を光電変換手段により読み取って電気信号に変換した後に、この電気信号を用いて写真感光材料等の記録材料やＣＲＴ等の表示装置にＸ線画像を可視像として出力させる。これにより、Ｘ線の露光量の変動に影響され難いＸ線画像を得ることができる。
【０００４】
図８は上述した半導体センサを用いたＸ線画像撮影システムの構成図を示しており、撮影台１に取り付けられたＸ線画像撮影装置２は、複数の光電変換素子を二次元状に配置した検出面を有するＸ線検出センサ３を内蔵している。Ｘ線発生部４から出射されたＸ線が被写体Ｐに照射され、被写体Ｐを透過したＸ線はＸ線検出センサ３により検出される。このＸ線検出センサ３から出力された画像信号は、画像処理手段５においてデジタル画像処理され、モニタ６上に被写体ＰのＸ線画像として表示される。このような特許文献１、２で開示されるＸ線検出センサは、形状から平面検出器、フラットパネル等と称されている。
【０００５】
図９はＸ線検出センサの縦断面図を示している。このＸ線検出センサは基台１１と、蛍光体１２ａ、光電変換素子１２ｂ、基板１２ｃで構成される撮像素子１２と、回路基板１３、配線１４、電源回路１５、スペーサ１６と、筐体１７などから構成されている。基台１１は撮像素子１２を載置し、蛍光体１２ａはＸ線を可視光に変換し、回路基板１３は光電変換素子１２ｂからの電気信号を処理する電子部品を搭載している。
【０００６】
このような構成とすることで、Ｘ線検出センサを薄型軽量化し可搬性を向上さることで、１つの受像部で様々な形態での撮影が可能となる。
【０００７】
このようなＸ線検出センサを用いた装置で、より迅速かつ広範囲な部位の撮影を可能にするため、操作性が優れた電子カセッテと称する可搬型の撮影装置が使われている。この電子カセッテにおいて、更に可搬性を向上させる提案として例えば特許文献３が挙げられる。
【０００８】
この特許文献３には、図１０に示すように電子カセッテ７を角度θで可変可能に床上を移動する撮影台８で保持し、移動により全ゆる位置での撮影に対応できると共に、速やかな撮影が可能となる撮影装置が開示されている。
【０００９】
また特許文献４には、図１１に示すように上方から吊り下げた電子カセッテ２１を移動させるような機構が開示されている。撮影室の天井には、移動可能なレール２２が取り付けられており、電子カセッテ２１は上方から移動部２３を介して吊り下げる柔軟性を有する懸垂部材２４とにより、電子カセッテ２１の水平方向移動と上下方向移動が可能とされている。
【００１０】
撮影室内には、臥位状態での撮影を行うテーブル２５と、主に立位状態での撮影を行うスタンド２６が設置されている。テーブル２５の近傍で電子カセッテ２１を使用する場合には、懸垂部材２４により吊り下げられた電子カセッテ２１をテーブル２５に近い位置にレール２２に沿って保持部２３を移動させる。
【００１１】
立位撮影を行う場合は、保持部２３をスタンド２６に近い位置に移動し、電子カセッテ２１を降下し、スタンド２６に電子カセッテ２１をセットして撮影を行う。
【００１２】
【特許文献１】特開昭５５−１２４２９号公報
【特許文献２】特開昭５６−１１３９５号公報
【特許文献３】特開２０００−１５７５２３号公報
【特許文献４】特開２００４−３４７８４１号公報
【発明の開示】
【発明が解決しようとする課題】
【００１３】
しかし、前述のような電子カセッテは、可搬性を追求したものであり、撮影部位によってその姿勢を保持するための撮影台やその設置スペースが必要となってしまう。
【００１４】
本発明の目的は、上述の課題を解消し、各種の専用撮影台や床面の設置スペースを必要とせず、容易に任意の姿勢に保持設定することができるＸ線画像撮影装置を提供することにある。
【課題を解決するための手段】
【００１５】
上記目的を達成するための本発明に係るＸ線画像撮影装置の技術的特徴は、被写体を透過したＸ線の強度分布を検出するＸ線画像検出器と、該Ｘ線画像検出器を内包する筐体とから成る電子カセッテを用いてＸ線画像を撮影するＸ線画像撮影装置において、前記電子カセッテの少なくとも３個所に該当する個所を保持し上方から吊り下げる吊下部材と、該吊下部材を任意の長さで保持可能な駆動機構とを有し、前記電子カセッテを任意の姿勢で保持し撮影を可能とすることにある。
【発明の効果】
【００１６】
本発明に係るＸ線画像撮影装置によれば、専用の撮影台を必要とせず、電子カセッテを容易に任意の姿勢で保持し撮影することが可能となる。
【発明を実施するための最良の形態】
【００１７】
本発明を図１〜図７に図示の実施例に基づいて詳細に説明する。
【実施例１】
【００１８】
図１は実施例１のＸ線画像撮影装置の概略構成図である。Ｘ線画像検出器と処理回路基板が内蔵されている電子カセッテ３１は、撮影室上方に位置する基部３２に取り付けられた３本のロープ状の吊下部材３３により、電子カセッテ３１に取り付けられている着脱機構３４を介して吊り下げられている。吊下部材３３は着脱機構３４を介して電子カセッテ３１の少なくとも３個所の隅角部に接続されており、基部３２の内部に設けられた駆動部３５により、それぞれ独立して巻取部３６によって巻き取ることが可能とされている。
【００１９】
一方、操作パネル３７の出力は、信号線３８を介して基部３２内に設けられた制御部３９に接続され、制御部３９は各駆動部３５を駆動するようになっている。従って、各吊下部材３３を独立して巻き取ったり繰り出すことにより、電子カセッテ３１を任意の姿勢とすることができる。
【００２０】
例えば、電子カセッテ３１を立位状態で使用するには、図２に示すように前方側の吊下部材３３の着脱機構３４を電子カセッテ３１から外したり、吊下部材３３の基部３２側に図示しない角度調整機能を設けることで、立位状態とすることが可能となる。
【００２１】
また、撮影を行わない場合には、電子カセッテ３１が装着されているか否かに拘らず、吊下部材３３を巻き上げることで、吊下部材３３を上方に退避させることができる。更に、電子カセッテ３１が吊下部材３３の着脱機構３４に正常に接続されていない場合は、図示しないロック検知機能により操作パネル３７での操作が不可能となったり、表示又は音などにより警告を促すことができる。
【実施例２】
【００２２】
図３は実施例２の構成図である。電子カセッテ３１を吊り下げる３本の吊下部材４１は、伸縮可能でかつ外力を加えても変形しない剛体から成る吊下軸４２と伸縮可能な被覆部材４３で構成されている。吊下軸４２は昇降部４４によりＺ方向に上下動し、また基部に固定された支持リンク４５を中心に駆動部４６により水平方向に振らせることができるようになっており、これらの昇降部４４、駆動部４６は基部３２の制御部により制御される。
【００２３】
なお、３本の吊下部材４１のうち、電動により２本の吊下部材４１を上下動、１本の吊下部材４１をＸＹ方向の水平動を可能とし、他の吊下部材４１は水平動の追従を可能としておけば、電子カセッテ３１に任意の姿勢をとらせることが可能である。また、吊下軸４２が剛性を持っていることから電子カセッテ３１に外力を加えてもその姿勢を維持することができる。
【００２４】
図４は実施例２の変形例の構成図である。この変形例では、３本の吊下部材４７は、径が異なるパイプ状の剛体部材を繰り出し式に連結させることで、それぞれ上下方向に伸縮可能な構造とされている。
【００２５】
実施例２の吊下部材４１よりも上下の移動範囲は制限されるが、比較的容易な構造で電子カセッテ３１に外力を加えても任意の姿勢で保持可能となる。
【実施例３】
【００２６】
図５は実施例３の構成図である。実施例１、２では基部３２は撮影室上方に固定されているが、この実施例３では、基部３２がＹ方向に移動可能なレール５１と、Ｘ方向に移動可能なレール５２とを介して取り付けられており、撮影室の上方で水平移動を可能とする手段を備えている。
【００２７】
このような機構に、実施例１、２で説明したカセッテ保持構成とを組み合わせることで、撮影室内の任意の空間で、かつ任意の姿勢で電子カセッテ３１を保持し、撮影することが可能となる。
【実施例４】
【００２８】
図６は実施例４の構成図である。この実施例４では、（ａ）に示すような吊下部材６１に固定されている保持筐体６２に対し、（ｂ）に示すように電子カセッテ３１は着脱自在とされている。保持筐体６２には、図示しない脱落防止の検知機能が付いた固定機構が設けられている。
【００２９】
また、図示しないアタッチメントを保持筐体６２又は電子カセッテ３１に装着することや、保持筐体６２にサイズ調整機構を設けることで、様々なサイズの電子カセッテ３１の着脱が対応可能である。
【００３０】
図７は実施例４の変形例の構成図である。この変形例では、略Ｖ字状の保持部材６３の開口部の両端に電子カセッテ３１が着脱自在に固定されている。また、保持部材６３の開口部両端、及びＶ字の頂部に基部３２に対する吊下部材６４がそれぞれ取り付けられている。これにより、撮影時に被写体の邪魔にならない位置に、吊下部材６４が配置されることになり、作業性を向上させることができる。
【００３１】
なお、上述の実施例のＸ線画像撮影装置は、これら実施例に限定されず、特許請求の範囲を逸脱することなく、多様に変形することが可能であることは云うまでもない。また、Ｘ線を用いて被検者を撮影する医療用の撮影装置について説明したが、本発明を他の被写体を撮影するＸ線画像撮影装置又は他のＸ線を用いた撮影装置に適用することも可能である。
【図面の簡単な説明】
【００３２】
【図１】実施例１のＸ線画像撮影装置の構成図である。
【図２】電子カセッテを立位状態で使用する場合の説明図である。
【図３】実施例２のＸ線画像撮影装置の構成図である。
【図４】実施例２の変形例の構成図である。
【図５】実施例３のＸ線画像撮影装置の構成図である。
【図６】実施例４のＸ線画像撮影装置の構成図である。
【図７】実施例４の変形例の構成図である。
【図８】従来のＸ線画像撮影システムの説明図である。
【図９】Ｘ線検出センサの縦断面図である。
【図１０】従来の電子カセッテを用い可搬性を向上させたＸ線画像撮影システムの説明図である。
【図１１】従来の電子カセッテを用い可搬性を向上させた他の例のＸ線画像撮影システムの説明図である。
【符号の説明】
【００３３】
３１  電子カセッテ
３２  基部
３３、４１、４７、６１、６４  吊下部材
３４  着脱機構
３５、４６  駆動部
３６  巻取部
３７  操作パネル
３９  制御部
４２  吊下軸
４３  被覆部材
４４  昇降部
４５  支持リンク
６２  保持筐体
６３  保持部材
【図１】
2007117412.tif 000003
【図２】
2007117412.tif 000004
【図３】
2007117412.tif 000005
【図４】
2007117412.tif 000006
【図５】
2007117412.tif 000007
【図６】
2007117412.tif 000008
【図７】
2007117412.tif 000009
【図８】
2007117412.tif 000010
【図９】
2007117412.tif 000011
【図１０】
2007117412.tif 000012
【図１１】
2007117412.tif 000013